(57)【要約】【課題】読取装置内に載置した物品の置き忘れを防止することができる物品読取装置を提供すること。【解決手段】実施形態の物品読取装置は、電波遮蔽部材で形成された収納室と、前記収納室に収納された無線タグ付きの物品から該無線タグの情報を読み取る読取装置と、を具備し、前記収納室の少なくとも一部が、光透過性部材で形成されている。【選択図】図２
2019031361.tif 000002
【特許請求の範囲】
【請求項１】
電波遮蔽部材で形成された収納室と、
前記収納室に収納された無線タグ付きの物品から該無線タグの情報を読み取る読取装置と、を具備し、
前記収納室の少なくとも一部が、光透過性部材で形成されている物品読取装置。
【請求項２】
前記収納室は、前記電波遮蔽部材により６面を有する直方体状に形成され、
前記６面のうち、少なくともその一面が前記光透過性部材で形成されている請求項１に記載の物品読取装置。
【請求項３】
前記６面のうち、前記物品を挿入する挿入面が光透過性部材で形成されている請求項２に記載の物品読取装置。
【請求項４】
前記光透過性部材は、透明導電膜を透明材料に積層させたものである請求項１乃至請求項３のいずれか一に記載の物品読取装置。
【請求項５】
電波遮蔽部材で形成された収納室に収納された無線タグ付きの物品から該無線タグの情報を読み取る読取装置と、
前記読取装置で前記無線タグの情報が読み取られた前記物品の登録を行うデータ処理装置と、を具備し、
前記収納室の少なくとも一部が、光透過性部材で形成されている物品情報処理装置。
【発明の詳細な説明】
【技術分野】
【０００１】
本発明の実施形態は、物品読取装置及び物品情報処理装置に関する。
【背景技術】
【０００２】
ＲＦＩＤタグが付された物品をまとめて収容して、そのＲＦＩＤタグから物品の情報を一括して読取、当該物品の情報を管理する情報処理装置へ送信する物品読取装置が知られている。このような物品読取装置は、倉庫内の物品管理、医療現場での物品管理、店舗での商品管理などの様々な場面で利用が可能である。
【０００３】
しかしながら、従来の物品読取装置では、外部への電波の漏洩を防ぐために、周囲が不透明な金属壁で囲まれている。このため、内部が見えず、物品が物品読取装置内に存在しているか否かを容易に認識できない、また、物品読取装置内にどのようなよう物品があるのかを確認したうえで、ＲＦＩＤタグの読取を実施できないということがあった。
【０００４】
このため、商品或いは商品を収容した商品カゴの置き忘れを防止するための改善が望まれている。
【先行技術文献】
【特許文献】
【０００５】
【特許文献１】特開２０１３―１６３５７９号公報
【発明の概要】
【発明が解決しようとする課題】
【０００６】
本発明が解決しようとする課題は、物品読取装置内に載置した物品を確認することができる物品読取装置及び物品情報処理装置を提供することである。
【課題を解決するための手段】
【０００７】
実施形態の物品読取装置は、収納室と、読取装置とを備える。収納室は、電波遮蔽部材で形成されている。読取装置は、収納室に収納された無線タグ付きの物品から該無線タグの情報を読み取る。このような物品読取装置は、収納室の少なくとも一部が、光透過性部材で形成される。
【図面の簡単な説明】
【０００８】
【図１】図１は、実施形態にかかる物品情報処理装置の構成を示す外観斜視図である。
【図２】図２は、物品読取装置の概略構成を示す外観斜視図である。
【発明を実施するための形態】
【０００９】
以下、本実施形態について、図面を参照しながら説明する。  
図１は、本実施形態にかかる商品の販売登録や倉庫等の検品業務で利用する物品情報処理装置１００の構成を示す外観斜視図、図２は本実施形態における物品情報処理装置１００に組み込まれた物品読取装置を一部破断して示す斜視図である。なお、図中Ｍは商品、Ｔは各商品に取り付けられる無線タグとしてのＲＦＩＤタグ（Ｒａｄｉｏ  Ｆｒｅｑｕｅｎｃｙ  ＩＤｅｎｔｉｆｉｅｒ）を示している。ＲＦＩＤタグＴは、樹脂製のベース上にタグＩＤ等のタグ識別情報を記憶可能である記憶部を有するチップとアンテナを備えている。
【００１０】
物品情報処理装置１００は、例えばスーパーマーケットや衣料販売店等の店舗や倉庫に設置されて用いられる。物品情報処理装置１００はカウンタ１０１を備えている。物品情報処理装置１００の本体１０２には、表示部や入力部が設けられている。
【００１１】
本体１０２の左側には、商品Ｍに取り付けられたＲＦＩＤタグＴを読み取るための物品読取装置１１０が備えられている。
【００１２】
物品読取装置１１０は、物品情報処理装置１００に接続され、各種商品に付されているＲＦＩＤタグＴから読み取った各種の情報を、物品情報処理装置１００に出力（送信）する。
【００１３】
図２は、物品読取装置１１０を一部破断して示す斜視図である。物品読取装置１１０は、物品読取装置１１０の主たる外装を構成する直方体状の収納室１２０と、この収納室１２０の後述する底板１２１上に載置され、商品カゴＳを載置する載置台１３０とを備えている。
【００１４】
収納室１２０は、本体１０２に固定された底板１２１と、この底板１２１の各辺に立設された奥壁部材１２２、左壁部材１２３、右壁部材１２４、開閉蓋１２５と、頂部に配置された天板１２６とを備えている。これら底板１２１、奥壁部材１２２、左壁部材１２３、右壁部材１２４、開閉蓋１２５、天板１２６はそれぞれ平板によって長方形状に形成され、全体は直方体状に形成されている。開閉蓋１２５は、顧客が開閉することで商品カゴＳの出し入れを行うことができる。
【００１５】
底板１２１、奥壁部材１２２、左壁部材１２３、右壁部材１２４は、不透明な電波遮蔽材である金属板等の電波反射部材、又は電波を吸収する電波吸収材で形成されている。一方、開閉蓋１２５及び天板１２６は、電波を遮蔽する光透過部材によって形成されている。電波を遮蔽する光透過部材としては、例えば、ＩＴＯ膜（酸化スズドープ酸化インジウム膜）や銀ナノワイヤ膜などの透明導電膜が表面に付されたフィルムやガラス、銀ナノインクなどをパターン形成したフィルムやガラス等である。
【００１６】
載置台１３０は、木製やガラス等の絶縁性（電波透過性）の板状部材で構成され、収納室１２０と所定の間隙を有して支持されている。
【００１７】
載置台１３０内部には、ＲＦＩＤタグＴの情報の読み取り及び書き込みに使用されるＲＦＩＤアンテナ１３１が設けられている。ここでは、ＲＦＩＤアンテナ１３１として、直方体形状の筐体に平面パッチアンテナを収容した送受信兼用のアンテナ装置を用いている。ＲＦＩＤアンテナ１３１は、ＲＦＩＤタグＴと交信し、そのＲＦＩＤタグＴの記憶部に記憶された情報の読み取り及び記憶部への情報の書き込みを行うリーダライタ装置１３３に接続されている。なお、ＲＦＩＤアンテナ１３１及びリーダライタ装置１３３により読取装置が構成されている。
【００１８】
このように構成された上述した物品情報処理装置１００は、次のようにして用いる。すなわち、工場等からの出荷時、あるいは、店舗等に商品を並べる前に、商品ＭにＲＦＩＤタグＴを取り付ける。ＲＦＩＤタグＴを商品Ｍに取り付けた後、商品Ｍは、ユーザによってピックアップされて商品カゴＳに収容される。ユーザは検品の段階になった時点で、物品情報処理装置１００の物品読取装置１１０に商品カゴＳを載置する。顧客は開閉蓋１２５を閉じて、液晶表示パネル１０３から検品動作を指示する。
【００１９】
物品読取装置１１０によるＲＦＩＤタグＴの読み取り動作が開始される。リーダライタ装置１３３からの信号に基づいて、ＲＦＩＤアンテナ１３１から電波が出力され、商品カゴＳ内の各ＲＦＩＤタグＴとの交信（読取・書込）が行われる。全てのＲＦＩＤタグＴの読み取りを行った後、表示部によって読み取り完了を表示し、検品を完了の表示を行う。
【００２０】
検品が完了した後、ユーザは開閉蓋１２５を開いて、物品読取装置１１０から商品カゴＳを取り出して、検品を完了する。この時、収納室１２０の開閉蓋１２５及び天板１２６は透明であるため、顧客は物品読取装置１１０に載置された商品カゴＳが見えており、商品カゴＳの取り忘れが発生しにくい。また検品をする際に、検品する対象の商品がどのような商品であるか確認できる。そもそも、検品する対象の商品でない場合は、取り除くことができる。
【００２１】
本実施形態に係る物品情報処理装置１００によれば、収納室１２０の一部が透明であるため、精算後、顧客が商品や商品カゴＳを取り忘れることを防止できる。
【００２２】
なお、上述した収納室１２０は直方体であるが、この形状に限られるものではない。また、収納室１２０を構成する底板１２１、奥壁部材１２２、左壁部材１２３、右壁部材１２４、開閉蓋１２５及び天板１２６のいずれを不透明電波遮蔽体で形成するか、電波を遮蔽する光透過部材によって形成するかは、物品情報処理装置１００の本体１０２との位置関係によって適宜変更可能である。例えば、複数の物品情報処理装置１００が両側に隣接配置している場合には、左壁部材１２３及び右壁部材１２４のみを不透明な電波遮蔽体で形成してもよく、また、物品情報処理装置１００の奥側にユーザが居る場合には、ユーザが商品カゴＳの取り忘れを発見し易くするために、奥壁部材１２２を電波を遮蔽する光透過部材で形成してもよい。
【００２３】
また開閉蓋１２５はなく、開口であってもよい。
【００２４】
また、本実施形態では検品で利用する物品情報処理装置を例に説明したが、例えば、物流倉庫以外に、店舗での品物の販売の際の会計装置に適用してもよい。
【００２５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１００…物品情報処理装置、１０２…本体、１１０…物品読取装置、１２０…収納室、１２１…底板、１２２…奥壁部材、１２３…左壁部材、１２４…右壁部材、１２５…開閉蓋、１２６…天板、１３０…載置台、１３１…アンテナ、１３３…リーダライタ装置。
【図１】
2019031361.tif 000003
【図２】
2019031361.tif 000004